(57)【要約】【課題】電子装置における待機時の消費電力を削減する。【解決手段】電子装置１は、通常モードにおいて、メインプロセッサ２がネットワーク制御部１０を制御することで、ネットワークから印刷データを受信すると、その内容により、画像処理部５にデータを処理させる。サブプロセッサ１１は、メインプロセッサの指示に従い、画像形成部６を制御して印刷を完了する。通常モードでは画像形成部６の制御を行う電力消費の少ないサブプロセッサ１１を、省電力モードにおいてネットワーク制御に使用し、電力消費の大きなメインプロセッサ２や不要回路の電源を停止することにより、電子装置１の待機時の電力を削減できると共に、ネットワークの制御は停止しないため、ユーザの利便性を高めることができる。【選択図】図１
2011000852.tif 000002
【特許請求の範囲】
【請求項１】
通常動作モードと省電力動作モードを有する電子装置において、
前記通常動作モードのとき、外部からの情報を処理する第１のプロセッサと、
前記第１のプロセッサより小電力であり、前記通常動作モードのとき、前記電子装置の内部処理を行う第２のプロセッサとを有し、
前記省電力動作モードになると前記第１のプロセッサは、制限処理によって電力が制限され、
前記第２のプロセッサは、前記内部処理を制限すると共に、前記外部からの前記情報の処理を行い、
前記第２のプロセッサで前記外部からの前記情報を検出すると、制限解除処理によって前記第１のプロセッサの前記制限を解除することを特徴とする電子装置。
【請求項２】
前記第２のプロセッサにより読み出される領域にプログラムが格納されたプログラム格納手段を有し、
前記第１のプロセッサは、前記省電力動作モードにおいて、前記第２のプロセッサの前記読み出す領域を切り替えることを特徴とする請求項１記載の電子装置。
【請求項３】
前記制限処理は、前記第１のプロセッサに対して電源供給を停止する処理であることを特徴とする請求項１又は２記載の電子装置。
【請求項４】
前記制限解除処理は、前記第１のプロセッサに対して電源を供給する処理であることを特徴とする請求項１〜３のいずれか１項に記載の電子装置。
【請求項５】
前記外部からの情報には、印刷データを含み、
前記内部処理は、前記印刷データに対応する画像を記録媒体に形成する機能を有する画像形成部のメカ制御の処理であることを特徴とする請求項１〜４のいずれか１項に記載の電子装置。
【請求項６】
前記外部からの情報には、印刷データを含み、
前記内部処理は、前記印刷データに対応する画像を記録媒体に形成する機能を有する内部構成機器の交換可能な画像形成部に対する制御処理であり、
前記省電力動作モードにおいて、前記内部構成機器を交換したことを記録し、前記通常動作モードにおいて、前記記録を利用して、前記画像形成部の処理を短縮する手段を有することを特徴とする請求項１〜４のいずれか１項に記載の電子装置。
【請求項７】
請求項１〜６のいずれか１項に記載の電子装置は、
ネットワークに接続され、前記ネットワークから受信した印刷データに対応する画像を記録媒体に形成する画像形成装置であることを特徴とする電子装置。
【発明の詳細な説明】
【技術分野】
【０００１】
本発明は、通常動作モード（以下単に「通常モード」という。）と省電力動作モード（以下単に「省電力モード」という。）の２つの動作モードを持つ電子装置に関するものである。
【背景技術】
【０００２】
従来、ネットワークに接続された電子装置（例えば、プリンタ等の画像形成装置）では、下記の特許文献１等に記載されているように、ＡＳＩＣ（Application  Specific  Integrated  Circuit；特定用途向け大規模集積回路）でネットワーク処理用のプロセッサを構築し、メインＣＰＵ（Central  Processing  Unit；中央処理装置）の電源を落とした場合でも、ネットワーク処理用のプロセッサでネットワークの送受信データを判断し、印刷を行うデータと判断すると、メインプロセッサを含む装置全体の電源を投入する。そのネットワーク処理用のプロセッサは、常にネットワークの状態を処理しており、停止することはない。又、画像形成装置においては、別途画像処理を行うプロセッサがエンジン側に必要となる。
【先行技術文献】
【特許文献】
【０００３】
【特許文献１】特開２００１−４７６９３号公報
【発明の概要】
【発明が解決しようとする課題】
【０００４】
しかしながら、従来の電子装置では、外部インタフェース（ＩＦ）の制御専用のプロセッサを必要とするため、例えば、メカ（機械）的な制御を行うプロセッサと合わせて、３つのプロセッサが必要となり、通常使用時の消費電力が増加するという課題があった。
【課題を解決するための手段】
【０００５】
本発明の電子装置は、通常モードと省電力モードを有する電子装置において、前記通常モードのとき、外部からの情報を処理する第１のプロセッサと、前記第１のプロセッサより小電力であり、前記通常モードのとき、前記電子装置の内部処理を行う第２のプロセッサとを有している。そして、前記省電力モードになると前記第１のプロセッサは、制限処理によって電力が制限され、前記第２のプロセッサは、前記内部処理を制限すると共に、前記外部からの前記情報の処理を行い、前記第２のプロセッサで前記外部からの前記情報を検出すると、制限解除処理によって前記第１のプロセッサの前記制限を解除することを特徴とする。
【発明の効果】
【０００６】
本発明によれば、通常モードでは電子装置の内部処理を行う電力消費の少ない第２のプロセッサを、省電力モードにおいて外部からの情報の処理に使用し、制限処理によって電力消費の大きな第１のプロセッサや不要回路の電源を停止するようにしたので、電子装置の待機時の電力を削減できると共に、外部からの情報の処理は停止しないため、ユーザの利便性を高めることができる。
【図面の簡単な説明】
【０００７】
【図１】図１は本発明の実施例１における電子装置を示す概略の構成図である。
【図２】図２は図１中のサブプロセッサ１１の省電力モードにおける制御動作を示すフローチャートである。
【図３】図３は図１中のメインプロセッサ２における制御動作を示すフローチャートである。
【図４】図４は図１の電子装置１における制御動作を示すタイムチャートである。
【図５】図５は本発明の実施例２における電子装置を示す概略の構成図である。
【図６】図６は図５中のメインプロセッサ２における制御動作の一部を示すフローチャートである。
【発明を実施するための形態】
【０００８】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【０００９】
（実施例１の構成）
図１は、本発明の実施例１における電子装置を示す概略の構成図である。
【００１０】
この電子装置１は、省電力モードを持つ画像形成装置（例えば、電子写真方式のページプリンタ）であり、第１のプロセッサ（例えば、メインプロセッサ）２を有している。メインプロセッサ２は、電子装置１と、この電子装置１に対して図示しないネットワークを介して接続された外部の制御装置（例えば、ホストパーソナルコンピュータ、以下「ホストＰＣ」という。）とのインタフェース制御や、画像データの処理を行うＣＰＵにより構成されている。このメインプロセッサ２には、随時読み書き可能なメモリ（以下「ＲＡＭ」という。）３、読み出し専用メモリ（以下「ＲＯＭ」という。）４、及び画像処理部５が接続されている。
【００１１】
ＲＡＭ３は、メインプロセッサ２によりアクセスされ、このメインプロセッサ２のデータ処理のための作業用メモリである。ＲＯＭ４は、メインプロセッサ２によりアクセスされ、このメインプロセッサ２の命令を格納しているメモリである。画像処理部５は、メインプロセッサ２により制御され、このメインプロセッサ２からの指示で、受信した印刷データ等に対して一定の処理を行い、印刷可能な形式に変換する回路である。この画像処理部５には、画像形成部６が接続されている。画像形成部６は、印刷可能データを記録媒体（例えば、用紙）上に画像を形成するため、モータ等を含むメカ的な機構部と、電気信号から画像を形成する画像形成プロセス部とからなる装置である。
【００１２】
電子装置１には、電源制御部８が設けられている。電源制御部８は、電子装置１内の全ての回路に供給する電源を制御する回路である。この電源制御部８は、電源供給とは別に、波線にて接続されたメインプロセッサ２、ＲＡＭ３、ＲＯＭ４、画像処理部５、画像形成部６、及びプロセッサ間通信制御部９に対して、個別に電源を供給・停止できる機能を有している。プロセッサ間通信制御部９は、メインプロセッサ２と第２のプロセッサ（例えば、サブプロセッサ）１１との間に接続され、このサブプロセッサ１１が、ネットワーク制御部１０を介して画像処理部５に接続されている。
【００１３】
プロセッサ間通信制御部９は、メインプロセッサ２とサブプロセッサ１１との間のコマンドやデータの送受信を制御する回路である。ネットワーク制御部１０は、図示しないホストＰＣとのネットワーク接続の制御を行う回路である。このネットワーク制御部１０は、通常モードでは、メインプロセッサ２により制御され、省電力モードでは、サブプロセッサ１１により制御されるようになっている。サブプロセッサ１１は、メインプロセッサ２よりも消費電力の少ないＣＰＵにより構成されており、通常モードでは、画像形成部６の制御を行うが、省電力モードでは、ネットワーク制御部１０の制御を行う機能を有している。
【００１４】
サブプロセッサ１１には、ＲＡＭ１２及び切り替え制御部１３が接続され、この切り替え制御部１３に、通常モード制御プログラム格納部１４及び省電力モード制御プログラム格納部１５が接続されている。ＲＡＭ１２は、サブプロセッサ１１によりアクセスされる作業用メモリである。切り替え制御部１３は、サブプロセッサ１１の命令が格納されているＲＯＭからなる通常モード制御プログラム格納部１４又は省電力モード制御プログラム格納部１５から読み出す命令を切り替えるための制御回路であり、メインプロセッサ２の指示により切り替えを実行する機能を有している。通常モード制御プログラム格納部１４は、サブプロセッサ１１の通常モードでの制御命令を格納するメモリである。省電力モード制御プログラム格納部１５は、サブプロセッサ１１の省電力モードでの制御命令を格納するメモリである。
【００１５】
（実施例１の電子装置の全体の動作）
図１の電子装置１における全体の動作の概略を説明する。
【００１６】
電子装置１は、通常モードにおいて、図示しないホストＰＣとネットワークを介して接続され、メインプロセッサ２がネットワーク制御部１０を制御することで、ネットワークから印刷データを受信すると、その内容により、画像処理部５にデータを処理させる。画像処理部５にて印刷可能なデータ(ビットマップデータ)が生成されると、画像形成部６にこのデータを送信する。メインプロセッサ２は、画像形成部６にデータを送信したことを、プロセッサ間通信制御部９を介してサブプロセッサ１１に伝達する。サブプロセッサ１１は、メインプロセッサ２の指示に従い、画像形成部６を制御して記録用紙に印刷を完了する。
【００１７】
電子装置１において一定時間印刷データの受信が無い場合、メインプロセッサ２は、省電力モードへの移行処理を開始する。メインプロセッサ２は、プロセッサ間通信制御部９を介して、サブプロセッサ１１に省電力モードへ移行する指示を与える。サブプロセッサ１１は、画像形成部６の電源を落とすための処理を行い、処理が完了すると、メインプロセッサ２に準備完了のメッセージを送信する。メインプロセッサ２は、サブプロセッサ１１をリセットし、切り替え制御部１３を省電力モード制御プログラム格納部１５から読み出すよう切り替える。省電力モード制御プログラム格納部１５に格納された省電力モード制御プログラムの内容は、例えば、ネットワーク処理を行うこと、印刷データを受信したかどうかを判断し、メインプロセッサ２を起動すること、印刷に関わらない、ネットワークからのアクセス（例えば、プリンタステータス要求等）に対応し、メインプロセッサ２を起動せず自身で処理することである。
【００１８】
サブプロセッサ１１は、読み出された省電力モード制御プログラムを実行し、先ず、電源制御部８に指示を与え、省電力モードにおいて不要な回路の電源を停止する。即ち、メインプロセッサ２、ＲＡＭ３、ＲＯＭ４、画像処理部５  画像形成部６、及びプロセッサ間通信制御部９の電源を停止する。省電力モードでは、ザブプロセッサ１１がネットワーク制御部１０を介して、ネットワークの種々の制御を行う。省電力モードにおいて、印刷データを受信すると、サブプロセッサ１１は電源制御部８に全ての電源を供給するよう指示する。
【００１９】
その後、メインプロセッサ２が起動して処理印刷データの処理が可能状態となると、プロセッサ間通信制御部９を介してサブプロセッサ１１と通信を行い、ネットワーク制御部１０のデータ処理を引き継ぐ。この引き継ぎでは、受信した印刷データがネットワーク制御部１０に残っているため、メインプロセッサ２によってそのデータをＲＡＭ３にコピーする。更に、そのデータに続く受信データを処理するため、ネットワーク特有のパラメータ（例えば、ＲＡＭ１２に存在するＩＰ（Internet  Protocol）アドレス、ＭＡＣ（Media  Access  Control）アドレス、ネットワークと接続するリンク情報や受信データを格納するＲＡＭアドレス等のパラメータ）をメインプロセッサ２が管理するＲＡＭ３にコピーして、メインプロセッサ２がネットワーク制御部１０を制御できるようにする。
【００２０】
メインプロセッサ２は、サブプロセッサ１１からの処理をすべて引き継ぐと、サブプロセッサ１１をリセットすると共に、切り替え制御部１３を制御して通常モード制御プログラム格納部１４へ切り替える。通常モード制御プログラム格納部１４に格納された通常モード制御プラグラムの内容は、例えば、電子装置１であるページプリンタのモータ駆動の制御を行うこと、印刷プロセスの制御（高電圧のオン／オフ制御や、定着器の制御等）を行うこと、ページプリンタの状態を監視すること、トナー残量等の消耗品の残量を監視すること等である。
【００２１】
サブプロセッサ１１は、リセットが完了すると、通常モード制御プログラムを読み込み、通常モ一ドの制御を行う。即ち、画像形成部６の制御を行い、受信した印刷データを画像処理部５から受信して、印刷を実行し、印刷された用紙を排出する。
【００２２】
（実施例１のサブプロセッサの省電力モードにおける制御動作）
図２は、図１中のサブプロセッサ１１の省電力モードにおける制御動作を示すフローチャートである。
【００２３】
先ず、ステップＳ１において、サブプロセッサ１１における省電力モード制御処理を開始する。ステップＳ２において、サブプロセッサ１１は、メインプロセッサ２と現在のネットワーク制御の各種設定等の情報（例えば、ＲＡＭ１２に存在するＩＰアドレス、ＭＡＣアドレス、ネットワークと接続するリンク情報や受信データを格納するＲＡＭアドレス等の情報）を引き継ぐ処理を行う。ステップＳ３において、サブプロセッサ１１は、メインプロセッサ２から電源を停止するよう指示（電源断の指示）があったかどうかを判断する。電源の停止指示が無いと判断した場合は（Ｎ）、ステップＳ２へ戻り、電源の停止指示有りと判断すると（Ｙ）、ステップＳ４へ進む。
【００２４】
ステップＳ４において、サブプロセッサ１１は、電源制御部８に不要な電源を停止するよう指示をする。ステップＳ５において、サブプロセッサ１１は、ネットワーク制御部１０を制御して、ネットワーク管理処理を実行する。ステップＳ６において、サブプロセッサ１１は、ネットワークから印刷データを受信したかどうかを判断し、印刷データを受信していないと判断すると（Ｎ）、ステップＳ５へ戻って引き続きネットワークの管理を行い、印刷データを受信したと判断すると（Ｙ）、ステップＳ７へ進む。
【００２５】
ステップＳ７において、サブプロセッサ１１は、電源制御部８を制御して電子装置１内の全てに電源を供給するよう指示する。ステップＳ８において、サブプロセッサ１１は、メインプロセッサ２と現在のネットワーク制御に関する情報の引き継ぎ処理を行う。この引き継ぎ処理には、直前に受信した印刷データも含む。その後、ステップＳ９において、制御処理を終了する。
【００２６】
（実施例１のメインプロセッサにおける制御動作）
図３は、図１中のメインプロセッサ２における制御動作を示すフローチャートである。
【００２７】
先ず、ステップＳ１０において、メインプロセッサ２の制御処理を開始する。ステップＳ１１において、メインプロセッサ２は、サブプロセッサ１１が省電力モードであるかどうかを判断し、省電力モードであると判断すると（Ｙ）、ステップＳ１３へ進み、省電力モードではないと判断すると（Ｎ）、ステップＳ１２へ進む。ステップＳ１２において、メインプロセッサ２は、処理を開始してからの経過時間の計測を開始し、ステップＳ１４へ進む。
【００２８】
ステップＳ１４において、メインプロセッサ２は、ネットワーク制御部１０を制御してホストＰＣとのネットワーク制御の処理を開始し、ステップＳ１５へ進む。ステップＳ１５において、メインプロセッサ２は、印刷データを受信したかどうかを判断し、印刷データを受信したと判断すると（Ｙ）、ステップＳ１６へ進み、印刷データを受信していないと判断すると（Ｎ）、ステップＳ１９へ進む。
【００２９】
ステップＳ１６において、メインプロセッサ２は、受信した印刷データを画像処理部５へ送信して印刷可能なデータに変換する。ステップＳ１７において、画像形成部６で印刷処理を行い、ステップＳ１８へ進む。ステップＳ１８において、メインプロセッサ２は、経過時間の計測を０から再スタートし、ステップＳ１４へ戻る。
【００３０】
ステップＳ１９において、メインプロセッサ２は、予め規定された時間を経過したかどうかを判断し、経過したと判断すると（Ｙ）、ステップＳ２０へ進み、未だ規定時間に達していないと判断すると（Ｎ）、ステップＳ１４へ戻る。ステップＳ２０において、メインプロセッサ２は、省電力モードへの移行を実行する。即ち、メインプロセッサ２は、サブプロセッサ１１に画像形成部６の制御の停止を要求し、サブプロセッサ１１が停止完了を報告すると、切り替え制御部１３を通常モード制御プログラム格納部１４からの読み出しから、省電力モード制御プログラム格納部１５からの読み出しへ切り替える。次にサブプロセッサ１１のリセット信号を“０”に設定し、一定時間後リセット信号を“１”に設定する。
【００３１】
ステップＳ２１において、メインプロセッサ２は、サブプロセッサ１１の実行プログラムが、省電力モードに切り替わったかどうかを判断し、省電力モードに切り替わったと判断すると（Ｙ）、ステップＳ２２へ進み、省電力モードに切り替わっていないと判断すると（Ｎ）、再度、切り替わりを待つ。ステップＳ２２において、現在メインプロセッサ２で制御しているネットワーク制御の各種情報を、サブプロセッサ１１に対して送信し、制御の引き継ぎ処理を行い、ステップＳ２３へ進む。
【００３２】
ステップＳ２３において、メインプロセッサ２は、省電力モードへの移行準備が完了すると、サブプロセッサ１１に対して不要回路の電源を切るよう指示し、ステップＳ２４で制御処理を終了する。
【００３３】
（実施例１の電子装置の制御動作）
図４は、図１の電子装置１における制御動作を示すタイムチャートである。
【００３４】
このタイムチャートでは、電子装置１に電源が投入されてから、通常モードで立ち上がり、次に省電力モードに移行し、最後に再び、通常モードに復帰するまでのシーケンスをいくつかの信号の変化を示して動作を説明する。
【００３５】
時刻Ｔ１において、電子装置１全体の電源を投入すると、メインプロセッサ２及びサブプロセッサ１１は、それぞれ通常処理及び画像形成部制御処理を行う。時刻Ｔ２において、メインプロセッサ２は、省電力モードへ移行するための経過時間の計測を開始する。ステップＴ３において、経過時間が規定時間に達したため、メインプロセッサ２は省電力モードに移行すると判断し、省電力モード信号２ａを“１”にセットして、省電力モードへの移行準備を開始する。サブプロセッサ１１は、画像形成部６の停止処理を開始する。
【００３６】
時刻Ｔ４において、サブプロセッサ１１は、省電力モードへの移行準備が完了したことをメインプロセッサ２に報告すると、メインプロセッサ２は、サブプロセッサ１１のリセット信号Ｒを“０”にすると共に、サブプロセッサ１１が読み込むプログラムを切り替える。時刻Ｔ５において、メインプロセッサ２は、サブプロセッサ１１のリセット信号Ｒを“１”にセットする。サブプロセッサ１１は、省電力モードのプログラムを読み込み、ネットワーク処理を開始する。メインプロセッサ２は、ネットワーク制御の各種情報をサブプロセッサ１１に送信する。
【００３７】
時刻Ｔ６において、メインプロセッサ２は、サブプロセッサ１１のネットワーク制御処理の準備が完了したと判断し、サブプロセッサ１１に対して不要回路の電源を停止するよう指示する。サブプロセッサ１１は、これを受けて電源断信号１１ａを“１”にセットする。時刻Ｔ７において、メインプロセッサ２を含む不要回路の電源が停止され、サブプロセッサ１１によるネットワーク処理を開始する。ここで、メインプロセッサ２は完全に電源を停止した状態となり、サブプロセッサ１１がネットワーク制御を行う省電力モードとなる。
【００３８】
時刻Ｔ８において、サブプロセッサ１１は、印刷を行う必要のあるデータを受信したと判断し、電子装置１全体の電源を投入する。メインプロセッサ２は、通常処理を開始するが、サブプロセッサ１１の状態を読み出し、省電力モードからの復帰であると判断する。これにより、サブプロセッサ１１とネットワーク制御の各種情報を交換し、ネットワークの制御処理をメインプロセッサ２が実行する。
【００３９】
時刻Ｔ９において、メインプロセッサ２は、サブプロセッサ１１が画像形成部制御処理に移行できると判断し、サブプロセッサ１１のリセット信号Ｒを“０”に設定すると共に、プログラム読み出し切り替え信号２ｂを、通常モード制御プログラムの読み出しに切り替える。時刻Ｔ１０において、メインプロセッサ２は、サブプロセッサ１１のリセット信号Ｒを“１”に設定する。サブプロセッサ１１は、通常モード制御プログラムを読み込み、画像形成部制御処理を開始する。画像形成部６おいて印刷可能状態となると、メインプロセッサ２は、受信したデータの印刷処理を開始する。その後、時刻Ｔ１１において、メインプロセッサ２は、再び省電力モードへ移行するための経過時間の計測を開始する。
【００４０】
（実施例１の効果）
本実施例１によれば、通常モードでは画像形成部６の制御を行う電力消費の少ないサブプロセッサ１１を、省電力モードにおいてネットワーク制御に使用し、電力消費の大きなメインプロセッサ２や不要回路の電源を停止することにより、電子装置１の待機時の電力を削減できると共に、ネットワークの制御は停止しないため、ユーザの利便性を高めることができる。
【実施例２】
【００４１】
（実施例２の構成）
図５は、本発明の実施例２における電子装置を示す概略の構成図であり、実施例１を示す図１中の要素と共通の要素には共通の符号が付されている。
【００４２】
本実施例２の電子装置１Ａでは、実施例１の電子装置１において、新たに画像形成部６のカバースイッチ（ＳＷ）２０が追加されている。
【００４３】
本実施例２の電子装置１Ａでは、画像形成部６のカバースイッチ２０を省電力モードにおいてサブプロセッサ１１が監視し、画像形成部６のカバーが開けられなかった場合、省電力モードから通常モードへの復帰時に、通常行われる画像形成部６の初期化を省略することで、復帰にかかる時間を短縮する構成になっている。
【００４４】
即ち、カバースイッチ２０は、画像形成部６を開閉するためのカバーが開いた場合にオン状態となるスイッチである。画像形成部６は、種々の画像現像ユニットを内蔵しており、例えば、現像トナー等が十分無い場合は交換する必要がある。一度カバーを開けて各種ユニットを交換した場合、色ずれの補正等、各種初期化処理を行う必要がある。本実施例２では、このカバースイッチ２０に対し、省電力モードにおいても電源供給を行い、サブプロセッサ１１で監視する構成とすることで、省電力モードにおいて、画像形成部６の電源が停止した状態でも、カバー開閉の履歴を保存し、通常モードに復帰した場合にメインプロセッサ２に履歴を伝達することが可能である。
【００４５】
本実施例２のその他の構成は、実施例１と同様である。
【００４６】
（実施例２の動作）
図６は、図５中のメインプロセッサ２における制御動作の一部を示すフローチャートであり、実施例１を示す図３中の要素と共通の要素には共通の符号が付されている。
【００４７】
図６のフローチャートでは、図３のフローチャートにおけるステップＳ１３からステップＳ１２の経路に、新たにステップＳ３１，Ｓ３２の処理が追加されている。以下、実施例１と異なるメインプロセッサ２の制御動作を説明する。
【００４８】
ステップＳ１３において、メインプロセッサ２は、サブプロセッサ１１とネットワーク制御の引き継ぎが行われると、ステップＳ３１へ進む。ステップＳ３１において、メインプロセッサ２は、画像形成部６のカパースイッチ２０の履歴情報をサブプロセッサ１１から受け取り、開閉された履歴があるかどうかを判断し、開関された履歴があると判断すると（Ｙ）、ステップＳ１２へ進み、開閉された履歴がないと判断すると（Ｎ）、ステップＳ３２へ進む。ステップＳ３２において、メインプロセッサ２は、画像形成部６の初期化処理を行わないよう、サブプロセッサ１１に指示を出し、ステップＳ１２へ進む。ステップＳ１２以降の制御は、実施例１と同様である。
【００４９】
（実施例２の効果）
本実施例２によれば、省電力モードにおいても画像形成部６のカバースイッチ２０をサブプロセッサ１１で監視し、通常モードに復帰した際に、開閉の履歴により画像形成部６の初期化を行わないようにしたので、省電力モードから通常モードへの復帰する時間を短縮すると共に、常に適正な画像を取得することが可能であり、ユーザの利便性が高まる。
【００５０】
（変形例）
本発明は、上記実施例１、２に限定されず、種々の利用形態や変形が可能である。この利用形態や変形例としては、例えば、次の（ａ）、（ｂ）のようなものがある。
【００５１】
（ａ）  図１及び図５の電子装置１，１Ａを他の回路構成に変更したり、制御処理を図２〜図４及び図６以外の処理手順に変更してもよい。
【００５２】
（ｂ）  実施例１、２では、電子装置１，１Ａとして、電子写真プリンタにおける省電力モードの処理について説明したが、ファクシミリ装置、複写機、複合機等の他の画像形成装置等にも本発明を適用でき、これにより、実施例１、２と同様の作用効果を奏することが可能である。
【符号の説明】
【００５３】
１，１Ａ      電子装置
２      メインプロセッサ
５      画像処理部
６      画像形成部
８      電源制御部
９      プロセッサ間通信制御部
１０      ネットワーク制御部
１１      サブプロセッサ
１３      切り替え制御部
１４      通常モード制御プログラム格納部
１５            省電力モード制御プログラム格納部
２０      カバースイッチ
【図１】
2011000852.tif 000003
【図２】
2011000852.tif 000004
【図３】
2011000852.tif 000005
【図４】
2011000852.tif 000006
【図５】
2011000852.tif 000007
【図６】
2011000852.tif 000008